(57)【特許請求の範囲】
【請求項１】
長尺のベース体と、
ベース体の両側に取付けられて無切断ケーブルを引き込む一対の端面板と、
一対の端面板に取付けられるカバーと、
無切断ケーブルから引き出された一方の光ファイバケーブルと他の光ファイバケーブルとの２本の芯線どおしを突き合わせた融着接続部を把持する把持部および位置決め固定用の二個の突起部を一体構造として備える融着接続部ホルダと、
融着接続部ホルダの二個の突起部を連結するための連結孔が縦横にほぼ全面に配列されて複数の融着接続部ホルダが取り付け可能になされるとともにベース体の長手方向に沿って移動するように支持されるスプライスベースと、
を備え、
ベース体を移動して位置決めされたスプライスベースで選択された二個の連結孔に融着接続部ホルダの二個の突起部を連結してなることを特徴とする光ファイバケーブル配線箱。
【請求項２】
請求項１に記載の光ファイバケーブル配線箱において、
吊線で係止させて柱上で吊架させるための吊架固定部を備えることを特徴とする光ファイバケーブル配線箱。
【発明の詳細な説明】
【０００１】
【発明の属する技術分野】
本発明は、光ファイバケーブルの２本の芯線どおしを突き合わせた融着接続部を収容固定するための光ファイバケーブルの融着接続部収容トレイを備え、光ファイバケーブルの中継点・分岐点等に設けられる光ファイバケーブル配線箱に関する。
【０００２】
【従来の技術】
近年、いわゆるインターネットのように大容量のデータ通信の必要性が増加している。そこで、多量のデータを伝送できる光ファイバケーブルを利用した通信回線が整備されつつある。
【０００３】
ここで、光ファイバケーブルは、周知のように中心部のテンションメンバの周りに１芯の芯線、または、２芯・４芯・８芯の線を１単位とする１テープ（以下、１芯・１テープの線を総称して単に芯線という。）の芯線を複数含む芯線ユニットを多数配置し、これらの外側を被覆材で覆ってケーブル状とした構造が一般的である。
【０００４】
このような光ファイバケーブルは長さに限界があるので、中継点に設けた光ファイバケーブル配線箱等の内部において光ファイバケーブルの相互の芯線の端部を突き合わせて接続することとなる。
光ファイバケーブルを相互に接続する場合、芯線ユニットから引き出した芯線の端部どおしをスリーブ内で突き合わせ、このスリーブとともに端部を加熱融着することによって接続される。スリーブは収縮して強固に密着する。このような接続箇所は融着接続部と呼ばれる。
なお、芯線に余裕を取るためループ状の余長部を持たせた上で接続されることが一般的である。
【０００５】
これら融着接続部および余長部は、融着接続部収容トレイに収容される。図４は、従来技術の融着接続部収容トレイの説明図である。
この融着接続部収容トレイ１００は、トレイ本体１１０、余長収容部１２０、引き込み口１３０、融着接続部把持部１４０を備えている。
【０００６】
この融着接続部収容トレイ１００に芯線を配置する場合、引き込み口１３０を介してトレイ本体１１０内に収容された芯線２００は、トレイ本体１１０の余長収容部１２０においてループ状の余長部２１０を確保した上で、芯線２００の端部どおしをスリーブ内で突き合わせて加熱融着し、融着接続部３００を形成する。この融着接続部３００を融着接続部把持部１４０で把持固定することで収容する。
このような芯線２００の余長部２１０および融着接続部３００を纏めて収容した融着接続部収容トレイ１００が、図示しない光ファイバケーブル配線箱内に配置される。
【０００７】
【発明が解決しようとする課題】
さて、光ファイバの接続では、無切断の光ファイバケーブル（以下、単に無切断ケーブルという）による接続がある。この無切断ケーブルの接続では、従来技術のように光ファイバケーブルを切断して充分な長さの芯線を引き出して余長部を確保するというものではなく、無切断ケーブルの外被の一部を剥ぎ取って無切断ケーブルから芯線を引き出し、この芯線の端部で融着接続を行うというものである。この場合、引き出せる芯線の長さは限られており、従来技術のように充分な余長部を確保することができない。
【０００８】
余長部が確保できない無切断ケーブルから引き出された芯線を融着接続部収容トレイに収容する場合、問題が生じることがある。この問題について説明する。融着接続がなされたある芯線の接続を変更する必要がある場合、既設の融着接続部および近傍の芯線を一括切断して、融着接続されていなかった新しい端部を形成し、この芯線の端部と他の芯線の端部とを突き合わせて新しい融着接続部を設ける必要がある。
【０００９】
しかし、光ファイバの芯線を切断して新しい融着接続部を設けた場合、無切断ケーブルから引き出された芯線は短くなり、融着接続部の位置も変化する。このため、今まで融着接続部の把持固定が可能であった位置では融着接続部の把持固定ができなくなるという問題点があった。
【００１０】
本発明は、上記問題点を解決するためになされたものであり、その目的は、芯線の融着接続部を把持固定する位置を広範囲にし、引き出された同じ芯線に対して融着接続を繰り返し行って融着接続部の位置が変化するような場合でも把持固定できるような光ファイバケーブルの融着接続部収容トレイを備える光ファイバケーブル配線箱を提供することにある。
【００１１】
【課題を解決するための手段】
上記課題を解決するために、請求項１記載の発明は、
長尺のベース体と、
ベース体の両側に取付けられて無切断ケーブルを引き込む一対の端面板と、
一対の端面板に取付けられるカバーと、
無切断ケーブルから引き出された一方の光ファイバケーブルと他の光ファイバケーブルとの２本の芯線どおしを突き合わせた融着接続部を把持する把持部および位置決め固定用の二個の突起部を一体構造として備える融着接続部ホルダと、
融着接続部ホルダの二個の突起部を連結するための連結孔が縦横にほぼ全面に配列されて複数の融着接続部ホルダが取り付け可能になされるとともにベース体の長手方向に沿って移動するように支持されるスプライスベースと、
を備え、
ベース体を移動して位置決めされたスプライスベースで選択された二個の連結孔に融着接続部ホルダの二個の突起部を連結してなることを特徴とする。
【００１２】
また、請求項２記載の発明は、
請求項１に記載の光ファイバケーブル配線箱において、
吊線で係止させて柱上で吊架させるための吊架固定部を備えることを特徴とする。
【００１３】
【発明の実施の形態】
続いて、本発明の実施形態である光ファイバケーブル配線箱について図を参照しつつ説明する。図１は、本実施形態の光ファイバケーブル配線箱の斜視破断図、図２は融着接続部ホルダの構成図、図３は融着接続部収容トレイの使用を説明する説明図である。
【００１４】
まず、光ファイバケーブル配線箱１０の構成について説明する。
光ファイバケーブル配線箱１０は、図１で示すように、ベース体１１、端面板１２、吊架固定部１３、スプライスベース１４、融着接続部ホルダ１５、カバー１６を備えている。なお、カバー１６は中央付近で破断させた構造として図示しているが、実際は図１の左側に配置された端面板１２まで全体を覆う構造を有している。
この光ファイバケーブル配線箱１０は、無切断ケーブル２０に取り付けられることとなる。
【００１５】
続いて光ファイバケーブル配線箱１０の構造について説明する。
図１で示すように、長尺のベース体１１の両側に一対の端面板１２（図１の右側にある端面板はカバー１６に覆われているため図示を省略する）が取り付けられ、さらに両側の端面板１２にカバー１６が取り付けられて光ファイバーケーブル配線箱１０の外郭を形成している。
このように形成された光ファイバーケーブル配線箱１０の両側の端面板１２に無切断ケーブル２０が挿通され、固定されることなる。さらに吊架固定部１３を電柱に張り渡されるメッセンジャワイヤなどの吊線に係止して、柱上で吊架固定される。
【００１６】
このような光ファイバーケーブル配線箱１０の内部には、本発明の基体の一具体例であるスプライスベース１４が配置されている。スプライスベース１４は、ベース体１１に取り付けられて固定されることとなるが、取り付け位置が図１の矢印ａ方向に移動できるように構成されていても良い。このような取り付け機構の構成は周知であり、適宜選択されることとなる。
【００１７】
このスプライスベース１４には、融着接続部ホルダ１５が配置されることとなる。融着接続部ホルダ１５は、図２で示すように、上側に対をなす把持部１５ａが、また、下側に二個の突起部１５ｂが形成されている。
対をなす把持部１５ａの間に図示しない融着接続部が配置されて挟持されることとなる。
【００１８】
この融着接続部ホルダ１５を取り付ける場合、スプライスベース１４に設けられた多数の連結孔１４ａの中から２個の連結孔１４ａを選択し、これら連結孔１４ａに、融着接続部ホルダ１５の突起部１５ｂを嵌め込んで所定の位置に取り付けることができる。
【００１９】
このように本発明の融着接続部ホルダの連結部の一具体例は、融着接続部ホルダ１５の二個の突起部１５ｂとなり、また、基体の被連結部の具体例は、図１で示すようなスプライスベース１４に設けられた二個の連結孔１４ａとなり、さらに、これら連結孔１４ａが縦横に多数配列されているため、少なくとも二以上の被連結部が設けられていることとなる。
そして、本発明の融着接続部収容トレイの一具体例が、これらスプライスベース１４および融着接続部ホルダ１５により形成される。
【００２０】
続いて、このような融着接続部収容トレイを用いる配線・収容について図３を参照しつつ説明する。図３で示すように、第１融着接続部３０が既にスプライスベース１４に配置されている場合を想定する。この第１融着接続部３０を破棄して新たにこの芯線に接続する場合、第１融着接続部３０および近傍の芯線を切断廃棄し、新しい芯線部分同士を突き合わせて融着接続部を設ける。この場合、新しい融着接続部は、例えば、図３で示す第２融着接続部４０の位置となる。
【００２１】
そこで、第１融着接続部３０の位置にある融着接続部ホルダ１５をスプライスベース１４から取り外し、第２融着接続部４０の位置に配置する。このため、融着接続部を再度形成して位置が変化がしたような場合でも、融着接続部ホルダ１５を適宜な位置まで移動して固定することで、融着接続部の把持固定が可能である。
また、先に述べたように、スプライスベース１４をベース体１１に取り付ける位置を変更できるようにすれば、融着接続部の把持固定位置をさらに広げることができる。
【００２２】
以上、本実施形態について説明した。本実施形態では、融着接続部ホルダの連結部を突起部１５ｂとし、また、基体の被連結部を連結孔１４ａであるものとして説明した。しかしながら、連結部・被連結部はこれら形態に限定する趣旨でないのはいうまでもなく、例えば、融着接続部ホルダ１５の連結部を孔に、基体であるスプライスベース１４の被連結部を突起部として形成しても良い。
【００２３】
【発明の効果】
以上、本発明によれば、芯線の融着接続部を把持固定する位置を広範囲にし、引き出された同じ芯線に対して融着接続を繰り返し行って融着接続部の位置が変化するような場合でも把持固定できるような光ファイバケーブルの融着接続部収容トレイを備える光ファイバケーブル配線箱を提供することができる。
【図面の簡単な説明】
【図１】  本発明の実施形態の光ファイバケーブル配線箱の斜視破断図である。
【図２】  融着接続部ホルダの構成図である。
【図３】  融着接続部収容トレイの使用を説明する説明図である。
【図４】  従来技術の融着接続部収容トレイの説明図である。
【符号の説明】
１０          光ファイバケーブル配線箱
１１          ベース体
１２          端面板
１３          吊架固定部
１４          スプライスベース
１４ａ        連結孔
１５          融着接続部ホルダ
１５ａ        把持部
１５ｂ        突起部
２０          無切断ケーブル
３０          第１融着接続部
４０          第２融着接続部
１００        融着接続部収容トレイ
１１０        トレイ本体
１２０        余長収容部
１３０        引き込み口
１４０        融着接続部把持部
２００        芯線
３００        融着接続部
【図１】
0003859065.tif 000002
【図２】
0003859065.tif 000003
【図３】
0003859065.tif 000004
【図４】
0003859065.tif 000005